(57)【要約】      （修正有）【課題】上下方向の運動効果を極大化し、簡単な構造の運動器具を提供する。【解決手段】サドル１０と、サドルに固定される支持具２０と、サドルに装着されるベースフレーム１００と、ベースフレームに装着される脚部材５００からなる。支持具には把持具２２が備えられ、固定具２１によってサドルに固定される。脚部材は、ベースフレームに結合する第１脚部材５０１と、第１脚部材の貫通部５１２に挿入され、一対の車輪部材７００が装着される第２脚部材５０２からなる。【選択図】図１
0003175158.tif 000002
【実用新案登録請求の範囲】
【請求項１】
人体の体重を載せて重力による上下運動を通じて運動効果を発生させるための上下ダイエット運動器具において、臀部が位置するサドル１０と、前記サドル１０に固定具２１によって固定され、把持部２２が備えられ、ｌＬ字状に 形成された支持具２０と、前記サドル１０に固定具２１によって装着され、底面１１０ の内側中央に装着される四角状の隔壁１２０と、前記隔壁１２０に結合されてスプリング３００の締結の際に下側に離脱しないように防止するための支持板１４０と、前記底面１１０の左側及び右側には板状に直角になるように一体型で形成され、貫通孔１３１が形成された側面部１３０から構成されるベースフレーム１００と、前記ベースフレーム１００の底面１１０ 及び側面部１３０の内側に挟まれ、前記隔壁１２０により支持され、上下作動の時、緩衝及び弾性の役割をするスプリング３００と、前記ベースフレーム１００に形成された貫通孔１３１に挟まれて第１脚部材５０１をベースフレーム１００に結合するボルト６００が貫通する貫通孔５３０が形成され、前記ベースフレーム１００の底面１１０ 及び側面部１３０の間に挟まれ、前記ベースフレーム１００の底面１１０に加えられる重さ荷重の垂直運動を水平運動に切り替えて第１脚部材５０１の一側端に装着される貫通管５４０と、前記ベースフレーム１００に挟まれるスプリング３００が外部に離脱しないようにして前記スプリング３００の緩衝及び弾性の役割を補助する固定具５２０が前記貫通管５４０が装着される側面に一体に結合され、他側には長さ方向で多数の通孔５１１が形成され、内部には貫通部５１２が形成された第１脚部材５０１と、前記第１脚部材５０１の貫通部５１２に挿入及び取り外しが可能になるように形成され、一側には前記第１脚部材５０１に形成された通孔５１１に挟まれて固定されることにより、長さを調節するようにスプリングが内挿され、他側には一対の車輪部材７００が装着される貫通軸５５０が貫通する貫通孔５６０が一体に結合された第２脚部材５０２から構成される脚部材５００とが装着されることを特徴とするスプリングを用いた上下ダイエット運動器具。
【請求項２】
前記サドル１０の一側には、長さ調節が可能であるように形成された支持具２０が備えられ、他側には、背をもたれさせることができるように背もたれ手段３０が形成されたことを特徴とする請求項１に記載の上下ダイエット運動器具。
【請求項３】
前記底面１１０ の内側中央に装着される四角状の隔壁１２０が前記ベースフレーム１００の内側で水平に移動が可能であるように構成されたことを特徴にする請求項１に記載の上下ダイエット運動器具。
【考案の詳細な説明】
【技術分野】
【０００１】
本考案は、上下に作動しながら前進及び後進ができる運動器具に関し、より詳細には、上下方向に作動しながら前進及び後進を併行することができるため、運動効果を極大化し、垂直の筋力を強化させることができるようにし、簡単な構造であって維持補修費用の節減及び維持補修時間が所要されない上下ダイエット運動器具に関する。
【背景技術】
【０００２】
一般的に、都市生活が普遍化し運動空間または時間の制約などによって、場所の制約を受けずに短い時間に最大の運動効果を得ることができるようにランニングマシン、振動ベルト及びサイクルなどの多様な室内運動器具が用いられており、このような運動器具は、それぞれ運動特性によって人体に有益な効果を与えている。
【０００３】
このような様々な運動器具のうち、上下運動を通じて体脂肪を分解するとともに、筋骨格を強化させる運動を室内ですることができるようにされた上下作動運動器具が最近になって脚光を浴びている趨勢である。
【０００４】
特に、下体の筋力を強化させるための運動器具は、ランニングマシンまたはステップマシンなどのように使用者が前記運動器具に直接、力を加えて運動を行う方法を用いるため、筋力が多少劣る使用者、あるいはリハビリ治療が要求される使用者に適合した運動器具になり得なかった。
【０００５】
最近では、使用者が力を加えなくても筋力を強化させることができる運動器具が提供されているが、このような運動器具は、ほとんど駆動モーターの駆動によって作動しているのが現実である。
【０００６】
したがって、筋力が多少劣る使用者も容易に使用することができ、駆動モーターなどの維持費用が消耗する複雑な機械を用いなくても運動効果を上昇させることができる運動器具が要求される。
【０００７】
前記のような要求に応じるため、本出願人は上下に作動しながら垂直運動ができる上下作動運動器具を出願したことがあるが、運動後、腰をもたれさせて休むことができる手段が不足であり、取っ手が固定されているため、多様な運動及び多様な運動効果が得られず、スプリングによる垂直運動であるため、スプリングの復元力が減ると、運動器具の効果が低くなる短所があった。
【０００８】
したがって、前記のような短所を補完することができる改善された上下作動運動器具が切実に要求される。
【考案の概要】
【考案が解決しようとする課題】
【０００９】
本考案は、上述のような問題点を解消するために案出されたものであって、その目的は、筋力の劣る使用者が上下方向の運動効果を極大化し、垂直の筋力を強化させることができるようにし、複雑な機械構成要素が必要ではない簡単な構造として駆動モーターなどを使用しないため、維持補修費用が節減され、維持補修時間が所要されない効果のあるスプリングを用いた上下作動運動器具を提供することにある。
【００１０】
また、他の目的は運動後、しばらく休息することができる手段を設け、多様な運動を実施することができ、多様な運動効果があるだけでなく、運動器具の提供とともにスプリングの弾性力を向上させることにより、長期間使用することができる運動器具を提供することにある。
【課題を解決するための手段】
【００１１】
本考案は、前記の目的を達成するため、人体の体重を載せて重力による上下運動を通じて運動効果を発生させるための上下ダイエット運動器具において、 臀部が位置するサドルと、前記サドルに固定具によって固定され、把持部が備えられ、Ｌ字状に形成された支持具と、前記サドルに固定具によって装着され、底面の内側中央に装着される四角状の隔壁と、前記隔壁に結合されてスプリングの締結の際に下側に離脱しないように防止するための支持板と、前記底面の左側及び右側には板状に直角になるように一体型に形成され、貫通孔が形成された側面部から構成されるベースフレームと、前記ベースフレームの底面及び側面部の内側に挟まれ、前記隔壁により支持され、上下作動時、緩衝及び弾性の役割をするスプリングと、前記ベースフレームに形成された貫通孔に挟まれて第１脚部材をベースフレームに結合するボルトが貫通する貫通口が形成され、前記ベースフレームの底面及び側面部の間に挟まれ、前記ベースフレームの底面に加えられる重さ荷重の垂直運動を水平運動に切り替えて第 1脚部材の一側端に装着される貫通管と、前記ベースフレームに挟まれるスプリングが外部に離脱しないようにし、前記スプリングの緩衝及び弾性の役割を補助する固定具が前記貫通管が装着される側面に一体に結合され、他側には長さ方向に多数の通孔が形成され、内部には貫通部が形成された第１脚部材と、前記第１脚部材の貫通部に挿入及び取り外しが可能になるように形成され、一側には前記第１脚部材に形成された通孔に挟まれて固定されることにより、長さを調節することができるようにスプリングが内挿され、他側には一対の車輪部材が装着される貫通軸が貫通する貫通管が一体に結合された第 2脚部材からなる脚部材を提供する。
【考案の効果】
【００１２】
以上、上述の通り、本考案は筋力が劣る使用者が、上下方向の運動効果を極大化し、垂直の筋力を強化させることができるようにする長所があり、複雑な機械の構成要素が必要ではない簡単な構造であって駆動モーターなどを使用しないため、維持補修費用が節減され、維持補修時間が所要されない効果がある。
【００１３】
また、背もたれがあって運動後、しばらく休息することができるだけでなく、 取っ手の長さ調節が可能であるため、多様な運動をすることができる。
【００１４】
さらに、上下運動ができるようにするスプリングを多数個装着してスプリングの弾性力を向上させることにより、長期間使用することができる長所がある非常に有用な考案である。
【図面の簡単な説明】
【００１５】
【図１】本考案の第 1実施例による上下ダイエット運動器具を示す斜視図である。
【図２】図１に示された上下ダイエット運動器具を示す分解斜視図である。
【図３】図１に示された上下ダイエット運動器具の要部を示す断面図である。
【図４】本考案の第２実施例による上下ダイエット運動器具を示す斜視図である。
【図５】図４に示された上下ダイエット運動器具の要部を図示した斜視図である。
【図６】図４に示された上下ダイエット運動器具を示す分解斜視図である。
【図７】本考案の第３実施例による上下ダイエット運動器具を示す斜視図である。
【図８】本考案の第４実施例による上下ダイエット運動器具を示す斜視図である。
【図９ａ】本考案の第５実施例による上下ダイエット運動器具の要部を示す説明図である。
【図９ｂ】本考案の第５実施例による上下ダイエット運動器具の要部を示す説明図である。
【図９ｃ】本考案の第５実施例による上下ダイエット運動器具の要部を示す説明図である。
【図９ｄ】本考案の第５実施例による上下ダイエット運動器具の要部を示す説明図である。
【図１０】図４に示された上下ダイエット運動器具の使用状態を示す斜視図である。
【考案を実施するための具体的な内容】
【００１６】
前記目的を達成するため、本考案は臀部が位置するサドルと、人体の体重を載せて重力による上下運動を通じて運動効果を発生させるための上下ダイエット運動器具において、臀部が位置するサドルと、前記サドルに固定具によって固定され、把持部が備えられ、Ｌ字状に形成された支持具と、前記サドルに固定具によって装着され、底面内側の中央に装着される四角状の隔壁と、前記隔壁に結合されてスプリングの締結の時、下側に離脱しないように防止するための支持板と、前記底面の左側及び右側には板状に直角になるように一体型で形成され、多数の貫通孔が形成された側面部から構成されるベースフレームと、前記ベースフレームの底面及び側面部の内側に挟まれ、前記隔壁によって支持され、上下作動の際に緩衝及び弾性の役割をするスプリングと、前記ベースフレームに形成された貫通孔に挟まれて第１脚部材をベースフレームに結合するボルトが貫通する貫通孔が形成され、前記ベースフレームの底面及び側面部の間に挟まれ、前記ベースフレームの底面に加えられる重さ荷重の垂直運動を水平運動に切り替えて第１脚部材の一側端に装着される貫通管と、前記ベースフレームに挟まれるスプリングが外部に離脱しないようにして、前記スプリングの緩衝及び弾性の役割を補助する固定具が前記貫通管が装着される側面に一体に結合され、他側には長さ方向に多数の通孔が形成され、内部には貫通部が形成された第１脚部材と、前記第１脚部材の貫通部に挿入及び取り外しが可能になるように形成され、一側には前記第 1脚部材に形成された通孔に挟まれて固定されることにより、長さを調節することができるようにスプリングが内挿され、他側には一対の車輪部材が装着される貫通軸が貫通する貫通孔が一体に結合された第２脚部材からなる脚部材から構成される。
【考案を実施するための形態】
【００１７】
以下、本考案の好ましい実施例を添付の図面に基づいて、詳細に説明すると、次の通りである。
【００１８】
図１は、本考案の第 1実施例による上下ダイエット運動器具を示す斜視図であり、図２は、図１に示された上下ダイエット運動器具を示す分解斜視図であり、図３は、図１に示された上下ダイエット運動器具の要部を示す断面図である。
【００１９】
図１から図３を参照すると、人体の体重を載せて重力による上下運動を通じて運動効果を発生させるための上下ダイエット運動器具において、臀部が位置するサドル１０と、前記サドル１０に固定具２１によって固定され、把持部２２が備えられ、 Ｌ字状に形成された支持具２０が装着される。
【００２０】
また、図面上の支持具２０は、一つ装着されたものと表現されたが、使用者の必要に応じて前記支持具２０を重ねて使用する方式で二つ以上も装着可能である。
【００２１】
また、前記サドル１０にはベースフレーム１００が装着され、前記ベースフレーム１００は、底面１１０と側面部１３０から構成される。
【００２２】
また、前記ベースフレーム１００には、前記底面１１０の内側中央には四角状の隔壁１２０が装着され、前記隔壁１２０に結合されてスプリング３００の締結の際に下側に離脱しないように防止するための支持板１４０と、前記底面１１０の左側及び右側には板状に直角になるように一体型に形成され、貫通孔１３１が形成された側面部１３０から構成される。
【００２３】
特に、前記ベースフレーム１００の底面１１０ 及び側面部１３０の内側に挟まれて前記隔壁１２０により支持され、上下作動の際に緩衝及び弾性の役割をするスプリング３００が装着される。
【００２４】
また、貫通管５４０は、前記ベースフレーム１００に形成された貫通孔１３１に挟まれて第１脚部材５０１をベースフレーム１００に結合するボルト６００が貫通する貫通孔５３０が形成され、前記ベースフレーム１００の底面１１０ 及び側面部１３０の間に挟まれ、前記ベースフレーム１００の底面１１０に加えられる重さ荷重の垂直運動を水平運動に切り替えて第１脚部材５０１の一側端に装着される。
【００２５】
前記ベースフレーム１００には、脚部材５００が装着され、前記脚部材５００は、第１脚部材５０１と第２脚部材５０２から構成される。
【００２６】
前記第１脚部材５０１は、前記ベースフレーム１００に挟まれるスプリング３００が外部に離脱しないようにして前記スプリング３００の緩衝及び弾性の役割を補助する固定具５２０が前記貫通管５４０が装着される側面に一体に結合され、他側には長さ方向に多数の通孔５１１が形成され、内部には貫通部５１２が形成される。
【００２７】
前記第２脚部材５０２は、前記第１脚部材５０１の貫通部５１２に挿入及び取り外しが可能であるように形成され、一側には前記第１脚部材５０１に形成された通孔５１１に挟まれて固定されることにより、長さを調節することができるようにスプリングが内挿され、他側には一対の車輪部材７００が装着される貫通軸５５０が貫通する貫通管５６０が一体に結合される。
【００２８】
図４は、本考案の第２実施例による上下ダイエット運動器具を示す斜視図あり、図５は、図４に示された上下ダイエット運動器具の要部を図示した斜視図であり、図６は、図４に示された上下ダイエット運動器具を示す分解斜視図である。
【００２９】
また、図１０は、図４に示された上下ダイエット運動器具の使用状態を示す斜視図である。
【００３０】
図 ４ から図６及び図１０を参照すると、人体の体重を載せて重力による上下運動を通じて運動効果を発生させるための上下ダイエット運動器具において、臀部が位置するサドル１０と、前記サドル１０に固定具２１によって固定され、把持部２２が備えられ、Ｌ字状に形成された支持具２０が装着される。
【００３１】
特に、前記支持具２０は、前記サドル１０の一側に装着され、他側には背をもたれさせることができるように背もたれ手段３０が形成される。
【００３２】
前記背もたれ手段３０を通じて運動後、しばらく休息することができる長所がある。
【００３３】
前記サドル１０には、ベースフレーム１００が装着され、前記ベースフレーム１００は、底面１１０と側面部１３０から構成される。
【００３４】
また、前記ベースフレーム１００には、前記底面１１０の内側中央には四角状の隔壁１２０が装着され、前記隔壁１２０に結合されてスプリング３００の締結の際に下側に離脱しないように防止するための支持板１４０と、前記底面１１０の左側及び右側には板状に直角になるように一体型に形成され、多数の貫通孔１３１が形成された側面部１３０から構成される。
【００３５】
特に、前記ベースフレーム１００の底面１１０ 及び側面部１３０の内側に挟まれて前記隔壁１２０に支持され、上下作動の際に緩衝及び弾性の役割をするスプリング３００が装着される。
【００３６】
また、貫通管５４０は、前記ベースフレーム１００に形成された貫通孔１３１に挟まれて第１脚部材５０１をベースフレーム１００に結合するボルト６００が貫通する貫通孔５３０が形成され、前記ベースフレーム１００の底面１１０ 及び側面部１３０の間に挟まれ、前記ベースフレーム１００の底面１１０に加えられる重さ荷重の垂直運動を水平運動に切り替えて第１脚部材５０１の一側端に装着される。
【００３７】
前記ベースフレーム１００には、脚部材５００が装着され、前記脚部材５００は、第１脚部材５０１と第２脚部材５０２から構成される。
【００３８】
前記第１脚部材５０１は、前記ベースフレーム１００に挟まれるスプリング３００が外部に離脱しないようにして前記スプリング３００の緩衝及び弾性の役割を補助する固定具５２０が前記貫通管５４０が装着される側面に一体に結合され、他側には長さ方向で多数の通孔５１１が形成され、内部には貫通部５１２が形成される。
【００３９】
前記第２脚部材５０２は、前記第１脚部材５０１の貫通部５１２に挿入及び取り外しが可能になるように形成され、一側には前記第１脚部材５０１に形成された通孔５１１に挟まれて固定されることにより、長さを調節するようにスプリングが内挿され、他側には一対の車輪部材７００が装着される貫通軸５５０が貫通する貫通孔５６０が一体に結合される。
【００４０】
図７は、本考案の第３実施例による上下ダイエット運動器具を示す斜視図であって、図７を参照すると、前記サドル１０の一側に装着される支持具２０が長さ調節が可能であるように形成されたものである。
【００４１】
したがって、支持具２０の長さ調節が可能であるため、多様な運動をすることができ、多様な運動による多様な運動効果を期待することができる。
【００４２】
図８は、本考案の第４実施例による上下ダイエット運動器具を示す斜視図であって、図８を参照すると、前記支持具２０が下側に屈曲形成されたものであって、前記図８に示された構成のように多様な運動効果を期待することができる構成となる。
【００４３】
図９a から図９dは、本考案の第５実施例による上下ダイエット運動器具の要部を示す説明図であって、図９a と 図９cを参照すると、一つ以上のスプリング３００が隔壁１２０によって分離され、固定された底面１１０と移動可能な支持板１４０が装着され、左側及び右側には前記スプリング３００の弾性を用いて上下への垂直運動を往復運動に切り替えるため、前記スプリング３００を圧迫する押圧具８１０が装着された押圧部材８００が装着される。
【００４４】
また、図９bを参照すると、中央に一つの底面１１０が装着され、上側及び下側にそれぞれ一つのスプリング３００が装着され、前記スプリング３００が離脱されないように一対の支持板１４０が装着される。
【００４５】
また、前記スプリング３００を圧迫するため、左側及び右側にはそれぞれ一対の押圧具８１０が装着された押圧部材８００がそれぞれ装着される。
【００４６】
図９dを参照すると、一つのスプリング３００が装着され、前記スプリング３００が離脱しないように一対の支持板１４０が装着され、前記スプリング３００を圧迫するため、左側及び右側には押圧具８１０が装着された押圧部材８００が装着される。
【符号の説明】
【００４７】
１０  サドル
２０  支持具
２１、５２０ 固定具
２２  把持部
３０  背もたれ手段
１００  ベースフレーム
１１０  底面
１２０  隔壁
１３０  側面部
１３１  貫通孔
１４０  支持板
３００  スプリング
５００  脚部材
５０１  第１脚部材
５０２  第２脚部材
５１１  通孔
５１２  貫通部
５３０  貫通孔
５４０、５６０  貫通管
５５０  貫通軸
６００  ボルト
６１０  ナット
７００  車輪部材
８００  押圧部材
８１０  押圧具
【図１】
0003175158.tif 000003
【図２】
0003175158.tif 000004
【図３】
0003175158.tif 000005
【図４】
0003175158.tif 000006
【図５】
0003175158.tif 000007
【図６】
0003175158.tif 000008
【図７】
0003175158.tif 000009
【図８】
0003175158.tif 000010
【図９ａ】
0003175158.tif 000011
【図９ｂ】
0003175158.tif 000012
【図９ｃ】
0003175158.tif 000013
【図９ｄ】
0003175158.tif 000014
【図１０】
0003175158.tif 000015